(57)【要約】【課題】  雨樋から導いた雨水を地中に浸透させるだけではなく、その雨水を一定量本体貯水槽に溜め置けるようにして、少なくとも雨水を植木や花等に撒く水として溜め置く容器としても利用することができる雨水桝を提供する。【解決手段】  本体貯水槽１を、オーバーフロー管６で接続した上部水槽３と下部水槽５の２つの水槽で構成して、導水口２から入った雨水を上部水槽３に一定量貯水し、溢れた雨水をオーバーフロー管６で下部水槽５に流して下部水槽５の浸透口５ａから地中に浸透させる。  これにより、上部水槽３に一定量の雨水を溜めることができ、そして、必要に応じて蓋７に設けている小通孔の開閉蓋９を開けて上部水槽３に溜めてある雨水を汲み上げて使用できる。【選択図】  図２
2009249813.tif 000002
【特許請求の範囲】
【請求項１】
雨樋からの雨水を本体貯水槽に導いて同本体貯水槽から地中や排水管等に排出する雨水桝であって、本体貯水槽の内部を複層に仕切り、かつそれぞれの水槽を、導いた雨水が最上層の水槽から下層の水槽に順次貯水されて行くようオーバーフロー管で接続して、最下層の貯水槽に導水した雨水を地中や排水管等に排水するように構成してなる雨水桝。
【請求項２】
前記オーバーフロー管を、上下の水槽を仕切っている隔壁を貫通させて上に位置する水槽内に立設して、同上に位置する水槽の雨水をオーバーフロー管の上部開口より流入させて同下部開口から下に位置する水槽内に導水するように構成してなる請求項１に記載の雨水桝。
【請求項３】
前記本体貯水槽を上下２層に仕切り、また、本体貯水槽の上部開口を閉塞する蓋に同蓋を上下に貫通する開閉蓋を有する所定の小通孔を設けて、同小通孔の開閉蓋を開けることで、本体貯水槽の上部水槽内に所定の汲み上げ手段に接続している汲み上げ管を挿入できるように構成してなる請求項１に記載の雨水桝。
【請求項４】
前記本体貯水槽を上中下３層に仕切り、また、本体貯水槽の上部開口を閉塞する蓋に同蓋を上下に貫通する開閉蓋を有する所定の小通孔を設けて、同小通孔の開閉蓋を開けることで、本体貯水槽の中部水槽内に所定の汲み上げ手段に接続している汲み上げ管を挿入できるように構成してなる請求項１に記載の雨水桝。
【請求項５】
前記中部水槽と上部水槽を接続しているオーバーフロー管の上部水槽側の開口を、本体貯水槽の上部開口を閉塞する蓋体に設けている小通孔の下部側開口と対向させて、汲み上げ手段に接続している汲み上げ管を直接に中部水槽内に挿入できるように構成してなる請求項４に記載の雨水桝。
【請求項６】
前記上部水槽内を外部側方より透視することができるように構成して同上部水槽を地上に出した状態で本体貯水槽を埋設し、上部水槽を魚や水生生物等を飼育するための飼育用水槽にしてなる請求項４に記載の雨水桝。
【請求項７】
前記本体貯水槽の上部開口を閉塞する蓋の一部あるいは全部を透明または半透明にして、本体貯水槽の上部水槽内を外部上方より透視することができるように構成してなる請求項３、請求項４に記載の雨水桝。
【請求項８】
前記本体貯水槽を、個々に形成した水槽を複数積み重ねて構成してなる請求項１に記載の雨水桝。
【発明の詳細な説明】
【技術分野】
【０００１】
本発明は、雨水を本体貯水槽に導水して同本体貯水槽から地中や排水管等に排水する雨水桝に関し、より詳しくは、建物などの雨樋から本体貯水槽に導いた雨水を一定量貯水して二次利用できるように構成した雨水桝に関する。
【背景技術】
【０００２】
従来、雨水は都市化が進行するに従い地中に浸透することなく排水路によって河川に導かれることが多かったが、近年、地下水の保全が叫ばれていることから雨水桝（例えば、特許文献１参照）の使用が増加していて、雨水桝の本体貯水槽に導水した雨水を地中に浸透させるようにしている。
【０００３】
また、雨水においても有効活用されていて、雨水を地上に設置した容器に導水して同容器内に溜めておき、必要に応じて容器内に溜めている雨水を植木や花等に撒く水として二次利用している。
【０００４】
【特許文献１】特開平８−３１９６５７号公報（第１〜３頁、図１〜４）
【発明の開示】
【発明が解決しようとする課題】
【０００５】
本発明は、雨樋から導いた雨水を地中に浸透させるだけではなく、その雨水を一定量本体貯水槽に溜め置けるようにして、少なくとも雨水を植木や花等に撒く水として溜め置く容器としても利用することができる雨水桝を提供できるようにした。
【課題を解決するための手段】
【０００６】
上述した課題を解決するために、本発明に係る雨水桝は、雨樋からの雨水を本体貯水槽に導いて同本体貯水槽から地中や排水管等に排出する雨水桝であって、本体貯水槽の内部を複層に仕切り、かつそれぞれの水槽を、導いた雨水が最上層の水槽から下層の水槽に順次貯水されて行くようオーバーフロー管で接続して、最下層の貯水槽に導水した雨水を地中や排水管等に排水するように構成したものとしてある。
【０００７】
また前記オーバーフロー管を、上下の水槽を仕切っている隔壁を貫通させて上に位置する水槽内に立設して、同上に位置する水槽の雨水をオーバーフロー管の上部開口より流入させて同下部開口から下に位置する水槽内に導水するように構成したものとしてある。
【０００８】
さらに前記本体貯水槽を上下２層に仕切り、また、本体貯水槽の上部開口を閉塞する蓋に同蓋を上下に貫通する開閉蓋を有する所定の小通孔を設けて、同小通孔の開閉蓋を開けることで、本体貯水槽の上部水槽内に所定の汲み上げ手段に接続している汲み上げ管を挿入できるように構成したものとしてある。
【０００９】
また前記本体貯水槽を上中下３層に仕切り、また、本体貯水槽の上部開口を閉塞する蓋に同蓋を上下に貫通する開閉蓋を有する所定の小通孔を設けて、同小通孔の開閉蓋を開けることで、本体貯水槽の中部水槽内に所定の汲み上げ手段に接続している汲み上げ管を挿入できるように構成したものとしてある。
【００１０】
また前記中部水槽と上部水槽を接続しているオーバーフロー管の上部水槽側の開口を、本体貯水槽の上部開口を閉塞する蓋体に設けている小通孔の下部側開口と対向させて、汲み上げ手段に接続している汲み上げ管を直接に中部水槽内に挿入できるように構成したものとしてある。
【００１１】
さらに前記上部水槽内を外部側方より透視することができるように構成して同上部水槽を地上に出した状態で本体貯水槽を埋設し、上部水槽を魚や水生生物等を飼育するための飼育用水槽にしたものとしてある。
【００１２】
また前記本体貯水槽の上部開口を閉塞する蓋の一部あるいは全部を透明または半透明にして、本体貯水槽の上部水槽内を外部上方より透視することができるように構成したものとしてある。
【００１３】
さらに前記本体貯水槽を、個々に形成した水槽を複数積み重ねて構成したものとしてある。
【発明の効果】
【００１４】
本発明の雨水桝によれば、雨樋から導いた雨水を地中に浸透させるだけではなく、一定量の雨水を植木や花等に撒く水や洗車する際の水として本体貯水槽に溜め置くことができ、さらに加えて、魚や水生生物等を飼育するための飼育用水槽にもなるので、従来の雨水桝に比してその利用価値を大幅に向上できる。
【００１５】
また、雨水桝の利用価値が向上することから多くの家庭での使用が見込まれるので、従来に比して地中に浸透させる雨水の量が増大し、地下水の保全にも寄与できる。
【発明を実施するための最良の形態】
【００１６】
以下、本発明の雨水桝を添付図面に基づいて説明する。
【００１７】
本実施例の雨水桝は、樹脂やコンクリート等の素材を用いて個々に形成した水槽を複数積み重ねて雨水桝の本体たる本体貯水槽１を形成しているものを示している。
【００１８】
図１は、本発明に係る請求項３に記載する雨水桝を示しており、本体貯水槽１を上部水槽３と下部水槽５の２つの水槽で構成していて、本体貯水槽１の上方、すなわち上部水槽３の上方部分に雨水が流入する導水口２を設けている。
【００１９】
前記上部水槽３の上方開口部（図示は省略）には通常で閉じている蓋７を装着していて、また、蓋７には開閉蓋９を有する小通孔を設けている。
【００２０】
一方、前記下部水槽５には浸透口５ａを設けていて、上部水槽３から下部水槽５に導水された雨水を地中に浸透させるようになっている。
【００２１】
この本体貯水槽１の内部は、図２に示すように、下部水槽５の上に積み重ねた上部水槽３の底壁３ａが、上部水槽３と下部水槽５を仕切る隔壁となっている。
【００２２】
そして、上部水槽３と下部水槽５は、上部水槽３の底壁３ａを貫通して立設するオーバーフロー管６で接続している。
【００２３】
またオーバーフロー管６の上部開口６ａは、前述する蓋７に設けている開閉蓋９を有する小通孔の下部開口８に対向させていて、また前述する雨水を入れる導水口２よりも低位置になるようにている。
【００２４】
図３は、本発明に係る請求項４に記載する雨水桝を示しており、本体貯水槽１を上部水槽３と中部水槽４と下部水槽５の３つの水槽で構成していて、本体貯水槽１の上方、すなわち上部水槽３の上方部分に雨水が流入する導水口２を設けている。
【００２５】
前記上部水槽３の上方開口部（図示は省略）には通常で閉じている蓋７を装着していて、また、蓋７には開閉蓋９を有する小通孔を設けている。
【００２６】
さらに上部水槽３の側壁には、樹脂素材等の透明または半透明の窓１０を設けている。
【００２７】
一方、前記下部水槽５には浸透口５ａを設けていて、上部水槽３から中部水槽４、下部水槽５に導水された雨水を地中に浸透させるようになっている。
【００２８】
この本体貯水槽１の内部は、図４に示すように、下部水槽５の上に積み重ねた中部水槽４の底壁４ａ、上部水槽３の底壁３ａが、それぞれ上部水槽３と中部水槽４、中部水槽４と下部水槽５を仕切る隔壁となっている。
【００２９】
そして、上部水槽３と中部水槽４、中部水槽４と下部水槽５は、それぞれ上部水槽３の底壁３ａ、中部水槽４の底壁４ａを貫通して立設するそれぞれのオーバーフロー管６で接続している。
【００３０】
また上部水槽３に立設しているオーバーフロー管６の上部開口６ａは、前述する蓋７に設けている開閉蓋９を有する小通孔の下部開口８に対向させていて、また前述する雨水を入れる導水口２よりも低位置になるようにしている。
【００３１】
図５は、前述する本体貯水槽１を上部水槽３と下部水槽５の２つの水槽で構成している請求項３に記載する雨水桝を設置した状態を示していて、排水管１３内を流れてきた雨水は、導水口２から雨水桝たる本体貯水槽１の上部水槽３内に流入する。
【００３２】
上部水槽３内に流入した雨水は上部水槽３内に貯水（雨水１５）されて行き、貯水（雨水１５）面が上部水槽３内に立設しているオーバーフロー管６の上部開口６ａまで達すると、上部水槽３内の雨水１５がこの上部開口６ａからオーバーフロー管６内を流下して同下部開口６ｂから下部水槽５内に流入し、下部水槽５に設けている浸透口５ａから地中に浸透して行く。
【００３３】
そして、蓋７に設けている小通孔の開閉蓋９（図２を参照）を取り外し、この小通孔から汲み上げ手段たる手動あるいは電動等のポンプ１１の汲み上げ管１２を、雨水桝たる本体貯水槽１の上部水槽３内に挿入してこの上部水槽３内の雨水１５を汲み上げ、この雨水１５を例えば植木や花等に撒いたり、自動車の洗車用水として使用したりできるようにしている。
【００３４】
図６は、前述する本体貯水槽１を上部水槽３と中部水槽４と下部３つの水槽で構成している請求項４に記載する雨水桝を設置した状態を示していて、排水管１３内を流れてきた雨水は、導水口２から雨水桝たる本体貯水槽１の上部水槽３内に流入する。
【００３５】
上部水槽３内に流入した雨水は上部水槽３内に貯水（雨水１５）されて行き、貯水（雨水１５）面が上部水槽３内に立設しているオーバーフロー管６の上部開口６ａまで達すると、上部水槽３内の雨水１５がこの上部開口６ａからオーバーフロー管６内を流下して同下部開口６ｂから中部水槽４内に流入して中部水槽４内貯水（雨水１５）されて行く。
【００３６】
さらに、この中部水槽４内の貯水（雨水１５）面が中部水槽４内に立設しているオーバーフロー管６の上部開口６ａまで達すると、中部水槽４内の雨水１５がこの上部開口６ａからオーバーフロー管６内を流下して同下部開口６ｂから下部水槽５内に流入し、下部水槽５に設けている浸透口５ａから地中に浸透して行く。
【００３７】
そして、蓋７に設けている小通孔の開閉蓋９（図４を参照）を取り外し、この小通孔から汲み上げ手段たる手動あるいは電動等のポンプ１１の汲み上げ管１２を、雨水桝たる本体貯水槽１の上部水槽３内に挿入するとともに、上部水槽３内に立設しているオーバーフロー管６の上部開口６ａからオーバーフロー管６内を通過させて同下部開口６ｂから下部水槽５内に挿入し、この中部水槽４内の雨水１５を汲み上げ、この雨水１５を例えば植木や花等に撒いたり、自動車の洗車用水として使用したりすることができるようになっている。
【００３８】
また、本雨水桝は上部水槽３と中部水槽４に雨水１５を貯水できるようにしているため、上部水槽３を魚や水生生物等を飼育するための飼育用水槽として用いることができるので、したがって、敷地スペースの制限から雨水桝を例えば玄関脇等の景観を重要視する場所に設置しなければならない場合であっても、景観を壊すことなく雨水桝を設置することができる。
【００３９】
そして、雨水桝たる本体貯水槽１における上部水槽３の上方開口部（図示は省略）を閉じる蓋７の一部あるいは全部を透明または半透明の部材で構成して、上部水槽３内を外部上方より透視することができるようにする場合もある。
【００４０】
また前述したように、本実施例の雨水桝は、個々に形成した水槽を複数積み重ねて雨水桝の本体たる本体貯水槽１を形成しているものを示しているが、本体貯水槽を形成する際に内部を複層に仕切るための隔壁を同時に形成する場合もある。
【００４１】
実施例における図中の符号７ａは、蓋７を開ける際の取手、符号９ａは、蓋９を開ける際の取手である。
【図面の簡単な説明】
【００４２】
【図１】本発明に係る雨水桝を示す斜視図。
【図２】図１に示す雨水桝の縦断面図。
【図３】本発明に係る雨水桝における他の形態を示す斜視図。
【図４】図３に示す雨水桝の縦断面図。
【図５】雨水桝の設置状態における縦断面図。
【図６】雨水桝の設置状態における縦断面図
【符号の説明】
【００４３】
１  本体貯水槽
２  導水口
３  上部水槽
３ａ  底壁
４  中部水槽
４ａ  底壁
５  下部水槽
５ａ  浸透口
６  オーバーフロー管
６ａ  上部開口
６ｂ  下部開口
７  蓋
７ａ  取手
８  下部開口
９  開閉蓋
９ａ  取手
１０  窓
１１  ポンプ
１２  汲み上げ管
１３  排水管
１４  地面
１５  雨水
【図１】
2009249813.tif 000003
【図２】
2009249813.tif 000004
【図３】
2009249813.tif 000005
【図４】
2009249813.tif 000006
【図５】
2009249813.tif 000007
【図６】
2009249813.tif 000008